(57)【要約】【課題】魚礁本体を海中に設置しても、その魚礁本体に藻場を生育させることができる光を供給する浮魚礁を提供する。【解決手段】洋上発電装置２と、洋上発電装置２で発電された電気を送電する送電ケーブル３と、木材１６又は竹材を含んで構成され、水深５０ｍより深い所定の水深において浮遊する魚礁本体４と、送電ケーブル３を介して送電された電気を使用して発光し、その光で魚礁本体４を照らすＬＥＤ６と、を備える。【選択図】図１
2015165796.tif 000002
【特許請求の範囲】
【請求項１】
中層浮魚礁であって、
洋上発電装置と、
洋上発電装置で発電された電気を送電する送電ケーブルと、
木材又は竹材を含んで構成され、水深５０ｍより深い所定の水深において浮遊する魚礁本体と、
前記送電ケーブルを介して送電された電気を使用して発光し、その光で前記魚礁本体を照らす発光体と、
を備えることを特徴とする浮魚礁。
【請求項２】
請求項１に記載の浮魚礁において、
前記魚礁本体が水平方向に延在していることを特徴とする浮魚礁。
【請求項３】
洋上発電装置と、
洋上発電装置で発電された電気を送電する送電ケーブルと、
所定の水深において浮遊する魚礁本体と、
を備え、
前記魚礁本体は、少なくとも１つの円筒状体の藻場ユニットにより構成され、
前記藻場ユニットでは、前記円筒状体内部に、前記送電ケーブルを介して送電された電気を使用して発光し、その光で前記魚礁本体を照らす発光体を備えたことを特徴とする浮魚礁。
【請求項４】
請求項３に記載の浮魚礁において、
前記藻場ユニットは、前記発光体を前記円筒状体内部に配する天面部を備え、
前記天面部に前記発光体を連結したことを特徴とする浮魚礁。
【請求項５】
請求項１〜４の何れか１つに記載の浮魚礁おいて、
前記洋上発電装置に代えて潮流発電装置を備えることを特徴とする浮魚礁。
【発明の詳細な説明】
【技術分野】
【０００１】
本発明は、魚礁本体を海中に浮遊させる浮魚礁に関する。
【背景技術】
【０００２】
従来より、海中に設置される藻場を兼ねた魚礁が知られている。藻類が光合成して生育するためには、藻場となる魚礁が太陽光の十分に届く水深にあることが必要であった。
【０００３】
しかし、太陽光が十分に届かない水深でも海上から海中へ太陽光を人工的に供給することで藻場が生育できる環境を整えることは可能である。例えば特許文献１には、海上で自動的に太陽を追尾する集光装置によって太陽光を集光し、その光を海中に立設した筒体内を通過させて、筒体の下方に設置した藻場に太陽光を供給することが記載されている。また、特許文献２には、海上で集光した太陽光を光ケーブルを通じて海底に供給することが記載されている。
【先行技術文献】
【特許文献】
【０００４】
【特許文献１】実公平６−３９５７７号公報
【特許文献２】特開平１１−１９６６９７号公報
【発明の概要】
【発明が解決しようとする課題】
【０００５】
ところで、海中の深い所（例えば水深５０ｍより深い所）には、マグロ、メジロ、ブリ、タラ等の高価な魚類（回遊魚）が生息しており、浮魚礁の魚礁本体を海中の深い所に設置すれば、高級魚を蝟集することができる。
【０００６】
しかしながら、魚礁本体を海中の深い所に設置すると、藻場が育つのに十分な太陽光が魚礁本体に届きにくくなり、魚礁本体における藻場の育成が困難となる。その結果、魚礁本体に、プランクトン、小型魚類等が集まらず、高価な魚類の蝟集もできない。
【０００７】
もちろん、上記特許文献１、２に開示された太陽光の供給方式を採用すれば、理論的には、深い水深にある魚礁本体に太陽光を供給することが可能である。ところが、特許文献１、２に開示された太陽光の供給方式では、コスト高、耐久性不足などの点で問題が生じやすい。
【０００８】
例えば５０ｍ以上の深い水深に浮遊する魚礁本体に対して、特許文献１に開示された太陽光の供給方式を採用する場合、魚礁本体の上方に５０ｍ以上の長大な筒体を立設しなければならないが、そのような筒体を立設すれば当然に多額の設置コストが掛かってしまう。
【０００９】
また、特許文献２に開示された太陽光の供給方式を採用する場合、海上に浮かぶ太陽光集光装置と、海中に浮遊する魚礁本体とに光ケーブルの両端部を繋ぐことになるが、光ケーブルは、その両側に繋がれた浮体の揺動や、光ケーブル自身が波、潮流等から受ける反復外力によって、繰り返し曲げ変形を生じることになる。このため、耐屈曲性等に優れた光ケーブルを使用することが不可欠となるが、そのような光ケーブルを５０ｍ以上の長さで使用するとなれば、多額のコストが掛かってしまう。
【００１０】
本発明は、藻場を生育させるために必要な太陽光が十分に届きにくい深度の海中に魚礁本体を設置しても、その魚礁本体に藻場を生育させるために必要な光を供給することができる浮魚礁を提供することを目的とする。
【課題を解決するための手段】
【００１１】
本発明の浮魚礁は、中層浮魚礁であって、洋上発電装置と、洋上発電装置で発電された電気を送電する送電ケーブルと、木材又は竹材を含んで構成され、水深５０ｍより深い所定の水深において浮遊する魚礁本体と、前記送電ケーブルを介して送電された電気を使用して発光し、その光で前記魚礁本体を照らす発光体と、を備えることを特徴としている。
【００１２】
かかる構成を備える浮魚礁によれば、魚礁本体を海中の深い水深に設置しても、その魚礁本体に藻場を生育させることができる光を供給することができる。しかも、光ケーブルや長大な筒体の設置を必要とすることなく、低コストにて水深の深い所に光合成することが可能な光を供給することができる。
【００１３】
前記構成において、前記魚礁本体は、例えば、水平方向に延在してもよい。
【００１４】
かかる構成を備える浮魚礁によれば、海上の釣り船から一本釣りできる場所を広く確保することができる。
【００１５】
本発明の浮魚礁は、洋上発電装置と、洋上発電装置で発電された電気を送電する送電ケーブルと、所定の水深において浮遊する魚礁本体と、を備え、前記魚礁本体は、少なくとも１つの円筒状体の藻場ユニットにより構成され、前記藻場ユニットでは、前記円筒状体内部に、前記送電ケーブルを介して送電された電気を使用して発光し、その光で前記魚礁本体を照らす発光体を備えたことを特徴としている。
【００１６】
かかる構成を備える浮魚礁によれば、前記魚礁本体は前記藻場ユニットにより構成され、前記藻場ユニットは前記発光体を備えたので、前記魚礁本体を海中に設置しても、前記魚礁本体の前記藻場ユニットに藻場を生育させることができる光を供給することができる。また、藻場ユニットが円筒状体であるので、海流（潮流等）によって、藻場ユニットがひっくり返ったりすることを抑えることができる。
【００１７】
前記構成において、前記藻場ユニットは、前記発光体を前記円筒状体内部に配する天面部を備え、前記天面部に前記発光体を連結してもよい。
【００１８】
かかる構成を備える浮魚礁によれば、前記天面部に前記発光体を連結した状態で前記発光体を前記円筒状体内部に配するので、前記藻場ユニットにおける、前記発光体によって照射したい位置（前記藻場に植生する藻類の正確な植生位置）を所望の位置に固定することができる。
【００１９】
前記構成において、前記天面部に、前記円筒状体への海水の流入出を行い、かつ、前記発光体を連結するための流水枠を形成してもよい。
【００２０】
かかる構成を備える浮魚礁によれば、前記藻場ユニットにおける前記発光体の配置を所望の位置にすることができ、前記発光体の位置を固定することによって照射させたい位置（藻場）への照射量（光量）の安定を図ることができる。さらに、前記流水枠によって前記天面部からの前記円筒状体への海水の流入出を容易に行えるので、前記天面部への海流（潮流等）による力によって前記藻場ユニットがひっくり返ったりすることを抑えることができる。
【００２１】
前記構成において、前記円筒状体の外周面は、前記円筒状体への海水の流入出を行う全流路を備えてもよい。
【００２２】
かかる構成を備える浮魚礁によれば、前記円筒状体の外周面は前記全流路を備えたので、前記円筒状体へのどの方向に対する海水の流入出を容易に行うことができ、さらに前記円筒状体への海流（潮流等）による力によって前記藻場ユニットがひっくり返ったりすることを抑えることができる。
【００２３】
前記構成において、前記藻場ユニットの水深を可変させる水深調整部を備えてもよい。
【００２４】
かかる構成を備える浮魚礁によれば、前記水深調整部を備えたので、台風時等の高波被害や、赤潮等が生じても浮魚礁の施設の保全を行うことができ、さらに水深を所望の深さに調整できるので、浮魚礁に居る魚介類の保護を行うこともできる。また、前記水深調整部を備えたので、水深によって変化する藻類繁茂環境（栄養塩分濃度）の調整や保持を行うことができる。 
【発明の効果】
【００２５】
本発明によれば、藻場を生育させるために必要な太陽光が十分に届きにくい深度の海中に魚礁本体を設置しても、その魚礁本体に藻場を生育させるために必要な光を供給することができる。
【図面の簡単な説明】
【００２６】
【図１】図１は、本発明の実施形態に係る中層浮魚礁を水平方向から視た図である。但し、魚礁本体は、図２のＡ−Ａ断面図としている。
【図２】図２は、本発明の実施形態に係る中層浮魚礁の平面図である。
【図３】図３は、浮魚礁本体の１ユニットを示す概略図である。
【図４】図４は、図４（ａ）と図４（ｂ）とからなり、浮魚礁本体の１ユニットの隅部（１ピース分）の概略構成図である。図４（ａ）は浮魚礁本体の１ユニットの隅部（１ピース分）を示す平面図であり、図４（ｂ）はその側面図である。
【図５】図５は、本発明の他の実施形態に係る中層浮魚礁を水平方向から視た図である。但し、魚礁本体は、図６のＡ−Ａ断面図としている。
【図６】図６は、本発明の他の実施形態に係る中層浮魚礁の平面図である。
【図７】図７は、本発明の第２実施形態に係る浮魚礁を水平方向から視た図である。
【図８】図８は、本発明の第２実施形態に係る浮魚礁を構成する藻場ユニットの概略斜視図である。
【発明を実施するための形態】
【００２７】
以下、本発明の実施の形態に係る浮魚礁について図面を参照しながら説明する。図１および図２に示す実施の形態では、浮魚礁として中層浮魚礁に本発明を適用した場合を示す。図１および図２に示すように、本発明の実施の形態に係る中層浮魚礁１は、洋上発電装置２、送電ケーブル３、魚礁本体４、発光体６等で主に構成されている。
【００２８】
洋上発電装置２は、陸地から独立して洋上で発電を行うことができるものである。この洋上発電装置としては、洋上風力発電装置、波力発電装置、洋上太陽光発電装置などが挙げられる。図１および図２に例示する洋上発電装置２は、浮体式風力発電装置である。浮体式風力発電装置は、洋上に浮かんだ浮体式構造物に風車等の発電設備を搭載している。上記浮体式構造物は、係留索５で海底に係留されている。浮体式風力発電装置は、着床式風力発電装置と比較して、水深５０ｍを超えるような深い海でも低コストで設置できる。
【００２９】
送電ケーブル３は、洋上発電装置２で発電された電気を発光体６に送電する。送電ケーブル３は、光ケーブルと比較して、耐屈曲性等の耐久性およびコスト面で優れており、安価なものでも、長期間にわたって繰り返し作用する波力、潮力に耐えることができる。洋上発電装置２から延出した送電ケーブル３は、同装置２の近傍では、急勾配で垂下し、魚礁本体４の設置水深の近くではその勾配を緩やかにして、魚礁本体４に沿うようにして発光体６に至っている。魚礁本体４に集まる魚類の漁獲は、一本釣りにより行われるが、送電ケーブル３を上記のように配設することで、釣糸が送電ケーブル３に絡みにくくなっている。
【００３０】
魚礁本体４は、直接太陽光が届きにくく、藻場が育ちにくい水深であって、回遊魚が比較的多く生息する水深（例えば水深５０ｍより深い水深）に設置される。好ましくは、回遊魚（高級魚）が最も多く生息する水深１００ｍ〜２００ｍの領域に設置される。魚礁本体４は、例えば図１に示すように、略同一の厚さで水平方向に広く延在した形状となっている。このため、海上で一本釣りできる漁場を広く確保することができる。なお、魚礁本体４の大きさは、一辺約３００ｍの正方形で、厚さ約１ｍのものを一例として挙げることができる。
【００３１】
図１に示すように、魚礁本体４の上面側は、海面に浮く浮力調節された複数のブイ７に係留索８にて繋がれており、魚礁本体４の下面側は、海底に沈設されたアンカー９に係留索１１にて繋がれている。これにより、魚礁本体４は漂流することなく一定の水深で浮遊する。
【００３２】
複数のブイ７の一部又は全部は、標識灯ブイになっている。各標識灯ブイは、波力発電装置と、発電された電力により発光するＬＥＤとを備えており、洋上発電装置２から電力供給を受けずに自力で発光する。洋上発電装置２から電力供給を受けるようにすれば、洋上発電装置２と各標識灯ブイとの間に送電線を設置しなければならず、その送電線に一本釣りの釣糸が絡んでしまう事態が多発することが予想される。本実施形態のように、各標識灯ブイが自力で発光用電力を賄うようにすれば、そのような問題は解消される。
【００３３】
広範囲に亘って容易に魚礁を形成するために、本実施形態に係る魚礁本体４は、図１および図２に示すように、複数の矩形状のユニット１２を互いに水平方向に連結することで構築されている。図１および図２に示す例では、中央に１ユニット相当分の開口部１０が設けられており、その開口部１０に洋上発電装置２を係留する係留索５が挿通されている。また、各ユニット１２には、ブイ７及びアンカー９が係留索８，１１にて繋がれている（但し、図面では、ブイ７、アンカー９、係留索８，１１の一部の図示を省略している。）。各ユニット１２は、図３に示すように、矩形に形成された鋼製の枠体１３と、枠体１３内に格子状に張り付けられたワイヤーロープ１４と、図４に示すように、枠体１３内に配設された木材１６とで構成されている。図４に示す例では、所定長さＬ（例えば陸上運送に適した４ｍ以下の長さ）に切断された木材１６が格子状に組み上げられ、互いに荒縄１７などで固定されている。また、木材１６は、ワイヤーロープ１４に対しても図示しない荒縄で固定されている。縦横所定長さＬで組み上げられた木材１６が１ピースを構成しており、例えば１つのユニット１２の縦横サイズが６０ｍ×６０ｍであれば、１ユニット１２内に、２２５ピース（＝１５ピース×１５ピース）が装填される。
【００３４】
上記木材１６としては、枝の無い幹だけのもの、或いは、枝付きの幹の何れも採用し得る。また、上記木材１６としては、植林〜森林育成の過程で生じる間伐材を有効利用することができる。
【００３５】
発光体６は、送電ケーブル３を介して送電される電気を使用して発光し、その光で魚礁本体４を照らす。この発光体６としては、藻類が有する光合成色素が吸収できる波長域の光を発光するもの、例えばそのような光を発光するＬＥＤを使用することができる。当該光を発光するＬＥＤは、１種類のＬＥＤで構成してもよいし、複数種類のＬＥＤで構成してもよい。なお、図１においては、魚礁本体４の上面に発光体６を設置しているが、魚礁本体４の下面又は両面に発光体６を設置してもよい。
【００３６】
以上のように構成された中層浮魚礁１では、洋上発電装置１により発電された電気が送電ケーブル３を通じて発光体６に供給され、発光体６はその電気を使用して発光する。発光体６は藻類の光合成色素が吸収する波長域の光を発光することから、魚礁本体４を構成する木材１６の表面に藻類が発生する。そして、木材１６に藻類が発生すると、それを餌とするプランクトンや小型魚類が集まり、更に、小型魚類を餌とする大型魚類（回遊魚）が集まる。魚礁本体４に集まった大型魚類は、海上からの一本釣りにより漁獲される。また、魚礁本体４は、魚類の産卵場、幼稚魚の保育場ともなる。水深が浅いところでは、魚礁本体４の沈設後、木材１６に短期間でフナクイムシ等の魚類の餌となる生物が発生することが知られているが、水深５０ｍ以上の深いところでも木材１６に魚類の餌となる生物が発生する可能性があると考えられる。水深５０ｍ以上の深いところでも木材１６に魚類の餌となる生物が発生すれば、魚礁本体４への蝟集効果は更に高まる。
【００３７】
以上に説明した中層浮魚礁１によれば以下の効果が期待できる。
（１）海中の深い水深（太陽光の届き難い５０ｍ以上の水深）でも、魚礁本体４に光合成可能な光を供給することで魚礁本体４に藻場を育成することができ、その結果、深い水深に生息する回遊魚（高級魚）を蝟集することが可能となる。例えば、回遊魚が多く生息する大陸棚に中層浮魚礁１を設置すればより多くの蝟集効果が期待できる。また、深い水深での海域の浄化にも役立つ。
（２）中層浮魚礁１は、洋上発電装置２、送電ケーブル３、発光体６等で主に構成されているので、光ケーブルや長大な筒体の立設を必要とすることなく、従来例と比較して、低コストにて水深の深い所に光合成をすることが可能な光を供給することができる。
（３）魚礁本体４は、互いに水平方向に連結された複数のユニット１２で構成されており、各ユニット１２は、枠体１３と、枠体１３内に配設された木材１６とで構成されているため、ユニット１２毎に水深や木材の種類を設定することが可能である。また、ユニット１２毎に木材１２の入れ替え、装填などをすることも容易になる。
（４）魚礁本体４は、水平方向に広く延在した形状となっていることから、海上の釣り船から一本釣りできる場所を効率的に広く確保することができる。
【００３８】
＜他の実施形態＞
他の実施形態として、木材１６の代わりに竹材を採用してもよい。竹材を採用した場合も既述した（１）〜（４）と同様又は類似の効果が期待できる。また、竹材を採用することにより、竹材の有効利用が図られ、竹林整備の進展に寄与することができる。
【００３９】
また、図５および図６に示すように、洋上発電装置２を魚礁本体４の真上位置ではなく、その位置から水平方向にずれた場所に設置してもよい。これら図５および図６に示す他の実施形態は、開口部１０の有無の点で上記の実施形態と異なる。そのため、同一構成による作用効果及び変形例は、上記の実施形態の作用効果及び変形例と同様である。そこで、他の実施形態では、上記の実施形態と異なる構成について説明し、同一の構成についての説明を省略する。他の実施形態では、洋上発電装置２を魚礁本体４の真上位置ではなく、その位置から水平方向にずれた場所に設置することで、洋上発電装置２の係留索５を挿通させるために必要であった開口部１０（図２参照）を無くすことができる。このような開口部１０（図２参照）を無くし、洋上発電装置２を魚礁本体４の真上位置から水平方向にずれた場所に設置することで、魚礁本体４上では、送電ケーブル３を当該魚礁本体４の上面に沿って配置することができ、一本釣りの釣糸が送電ケーブル３に絡む可能性が低くなる。
【００４０】
また、魚礁本体４を、互いに水平方向に連結された複数のユニット１２で構成することに限定されるものではなく、ユニット１２の代わりに、図７および図８に示すように、円筒状体の藻場ユニット２３を用いてもよい。以下、複数のユニット１２により魚礁本体４を構成した本実施形態とは異なる第２実施形態について説明する。
【００４１】
＜第２実施形態＞
図７および図８に示す第２実施形態は、魚礁本体を構成するユニットの形態が上記の実施形態と異なるだけで他の構成は同一構成である。そのため、同一構成による作用効果及び変形例は、上記の実施形態の作用効果及び変形例と同様である。
【００４２】
本発明の第２実施形態に係る浮魚礁２１は、図７および図８に示すように、洋上発電装置２、送電ケーブル３、魚礁本体２２、発光体６等で主に構成されている。
【００４３】
洋上発電装置２は、陸地から独立して洋上で発電を行うことができるものである。この洋上発電装置としては、洋上風力発電装置、波力発電装置、洋上太陽光発電装置などが挙げられる。図７に例示する洋上発電装置２は、浮体式風力発電装置である。浮体式風力発電装置は、洋上に浮かんだ浮体式構造物に風車等の発電設備を搭載している。上記浮体式構造物は、係留索５で海底のアンカー９に係留されている。浮体式風力発電装置は、着床式風力発電装置と比較して、水深５０ｍを超えるような深い海でも低コストで設置できる。
【００４４】
第２実施形態では、図７に示すように、洋上発電装置２を魚礁本体２２の真上位置ではなく、その位置から水平方向にずれた場所に設置している。洋上発電装置２を魚礁本体２２の真上位置から水平方向にずれた場所に設置することで、魚礁本体２２上では、送電ケーブル３を魚礁本体２２の上面に沿って配置することができ、一本釣りの釣糸が送電ケーブル３に絡む可能性が低くなる。
【００４５】
送電ケーブル３（図７では鎖線）は、洋上発電装置２で発電された電気を発光体６に送電する。送電ケーブル３は、光ケーブルと比較して、耐屈曲性等の耐久性およびコスト面で優れており、安価なものでも、長期間にわたって繰り返し作用する波力、潮力に耐えることができる。魚礁本体２２に集まる魚類の漁獲は、一本釣りにより行われるが、送電ケーブル３を図７に示すように各藻場ユニット２３（下記参照）の直上で分岐するよう設けることで、釣糸が送電ケーブル３に絡みにくくなっている。
【００４６】
魚礁本体２２は、所定の水深において浮遊し、魚礁本体２２の水深を可変させる水深調整部２４（下記参照）により任意の水深に設置可能である。そのため、魚礁本体２２を、ある程度の太陽光が届くものの藻場が育つ光量が得られにくい比較的浅い水深（例えば水深１０ｍ〜２０ｍ）に設置することも、魚礁本体２２を、太陽光が届きにくく藻場が育つ光量が得られない深い水深（例えば、回遊魚が比較的多く生息する水深５０ｍより深い水深）に設置することもできる。回遊魚（高級魚）の蝟集を目的とする場合は、魚礁本体２２が水深１００ｍ〜２００ｍの領域に設置されることが好ましい。
【００４７】
第２実施形態では、魚礁本体２２（下記する藻場ユニット２３）の水深を可変させる水深調整部２４が備えられている。水深調整部２４は、海面（洋上）に浮かぶ大型の洋上フロート部２５と、魚礁本体２２に備えた小型の浮沈フロート部２６とで構成されている。水深調整部２４では、洋上フロート部２５と浮沈フロート部２６とはエアコンプレッサ式のフロートを採用している。浮沈フロート部２６を設けることで、例えば、波の影響が少ない時に海面から１０ｍ以内の水深に魚礁本体２２に配置したり、魚礁本体２２のメンテナンス時に洋上まで魚礁本体２２を浮上させることもできる。
【００４８】
図７に示すように、魚礁本体２２の上面側は、海面（洋上）に浮く浮力調節された複数のブイ７に係留索８にて繋がれており、魚礁本体２２の下面側は、海底に沈設されたアンカー９に係留索１１にて繋がれている。これにより、魚礁本体２２は漂流することなく一定の水深で浮遊する。
【００４９】
複数のブイ７の一部又は全部は、標識灯ブイになっている。各標識灯ブイは、波力発電装置と、発電された電力により発光するＬＥＤとを備えており、洋上発電装置２から電力供給を受けずに自力で発光する。洋上発電装置２から電力供給を受けるようにすれば、洋上発電装置２と各標識灯ブイとの間に送電線を設置しなければならず、その送電線に一本釣りの釣糸が絡んでしまう事態が多発することが予想される。第２実施形態のように、各標識灯ブイが自力で発光用電力を賄うようにすれば、そのような問題は解消される。
【００５０】
広範囲に亘って容易に魚礁を形成するために、第２実施形態に係る魚礁本体２２は、図７および図８に示すように、５つの藻場ユニット２３を一列に連結して構成されている。
【００５１】
この魚礁本体２２では、図７に示すように、一列に連結した５つの藻場ユニット２３の上方に上部フレーム２７が備えられ、上部フレーム２７と一列に連結した５つの藻場ユニット２３とが、連結索２９によって繋がっている。また、上部フレーム２７にブイ７が係留索８にて繋がれている（但し、図面では、ブイ７の一部の図示を省略している。）。また、上部フレーム２７には、魚礁本体２２（藻場ユニット２３）の水深を可変させる複数個（図７では２０個）の浮沈フロート部２６が備えられ、上部フレーム２７を介して洋上フロート部２５と浮沈フロート部２６とが連結されている。
【００５２】
また、魚礁本体２２では、図７に示すように、一列に連結した５つの藻場ユニット２３の下方には下部フレーム２８が備えられ、下部フレーム２８と一列に連結した５つの藻場ユニット２３とが、連結索２９によって繋がっている。また、下部フレーム２８とアンカー９とが、係留索１１にて繋がれている（但し、図面では、アンカー９、係留索１１の一部の図示を省略している。）。
【００５３】
各藻場ユニット２３は、図８に示すように、円筒状体３０からなり、円筒状体３０は、天面にあたる天面部３１と、底面にあたる底面部３２と、側面にあたる側面部３３とで構成されている。
【００５４】
藻場ユニット２３の天面部３１と底面部３２とは、同一の構成であり、鋼材で成形されている（炭素繊維材等で成形することもできる。）。天面部３１および底面部３２には、図８に示すように、流水枠３４が夫々形成されている。特に天面部３１の流水枠３４は、円筒状体３０への海水の流入出を行い、かつ、発光体６（下記参照）が連結されている。流水枠３４は、天面部３１および底面部３２の夫々において、その中心（平面視中央の位置）から外周に向けて複数の棒状部材（第２実施形態では８本の棒状部材）が放射状に伸出して環状部材の内側に接続されてなるものである。なお、図７および図８は、藻場ユニット２３を斜め上方から見た斜視図であるため、底面部３２の流水枠３４の図示は省略する。
【００５５】
底面部３２上には、図８に示すように、海水や空気等の通路を有する円柱状のポーラスコンクリートと藻類３５を植生する植生部とで成形された藻場３６が設けられている。この藻場３６に藻類３５が植生されている。
【００５６】
側面部３３は、金網（例えば養殖用金網）で構成されている。図８に示すように、この金網は円筒状に形成され、上端部が天面部３１に接続され、下端部が底面部３２に接続されている。金網には藻が付きやすく、金網に付いた藻にそれを餌とするプランクトンや小型魚類が集まり、更に、小型魚類を餌とする中型・大型魚類が集まる。また、側面部３３には、図８に示すように、金網を張ること（もしくは金網を海中で垂らすこと）によって成形される網の隙間により円筒状体３０への海水の流入出を行う流路３９が備えられている。
【００５７】
上記の通り、天面部３１の流水路３８と、側面部３３の流路３９により、藻場ユニット２３では、円筒状体３０の内外を海水が流入出する全流路３７が備えられている（図８参照）。
【００５８】
発光体６は、送電ケーブル３を介して送電される電気を使用して発光し、その光で藻場ユニット２３内を照らす（図７参照）。発光体６は、天面部３１に連結され、円筒状体３０内部に配されている。第２実施形態では、１つの藻場ユニット２３の円筒状体３０内部に５つの発光体６が配されている。また、藻場３６に植生された藻類３５に対して所望の光量（照射量）を与えるために、円筒状体３０の空間内において等間隔に位置するように５つの発光体が固定されている（図８参照）。なお、図７においては、藻場ユニット２３の天面部３１に５つの発光体６を連結し、発光体６を円筒状体内部に配しているが、発光体の数は任意に設定可能であり、光量を多く供給するという点からは多数個の発光体６を用いることが好ましい。また、第２の実施の形態では、全ての発光体６を藻類３５の上方に配しているが、これに限定されるものではなく、藻類３５が生育しやすくなるよう光源（発光体６）を配置すればよく、場合によっては藻類３５の側方に一部の発光体６を配してもよい。
【００５９】
発光体６としては、藻類３５が有する光合成色素が吸収できる波長域の光を発光するもの、例えばそのような光を発光するＬＥＤを使用することができる。当該光を発光するＬＥＤは、１種類のＬＥＤで構成してもよいし、複数種類のＬＥＤで構成してもよい。
【００６０】
以上のように構成された浮魚礁２１では、洋上発電装置１により発電された電気が送電ケーブル３を通じて発光体６に供給され、発光体６はその電気を使用して発光する。発光体６は藻類の光合成色素が吸収する波長域の光を発光することから、藻場ユニット２３に植えた藻類３５が成長する。そして、藻類が成長すると、それを餌とするプランクトンや小型魚類が集まり、更に、小型魚類を餌とする大型魚類（回遊魚）が集まる。魚礁本体２２に集まった大型魚類は、海上からの一本釣りにより漁獲される。また、魚礁本体２２は、魚類の産卵場、幼稚魚の保育場ともなる。水深が浅いところでは、魚礁本体２２の沈設後、木材１６に短期間でフナクイムシ等の魚類の餌となる生物が発生し、さらに、水深５０ｍ以上の深いところでは、藻類３５に魚類の餌となるものが居る可能性があると考えられる。水深５０ｍ以上の深いところでも魚類の餌となるものが居れば、魚礁本体２２への蝟集効果は更に高まる。
【００６１】
なお、上記の通り、図７に示す第２実施形態では、５つの藻場ユニット２３が一列に並んでいるが、これに限定されるものではなく、マトリックス状に並んでもよい。また、藻場ユニット２３の個数は５つに限定されるものではなく、任意の個数で構わない。そのため、１つの藻場ユニット２３により魚礁本体２２を構成することも可能であるが、この場合、漁場が小さくなる。そのため、できるだけ多くの藻場ユニット２３により魚礁本体２２を構成することが、漁場を広くするという点で好ましい。
【００６２】
また、天面部３１の流水枠３４は、放射状に伸出した棒状部材と環状部材とで構成されているが、これに限定されるものではなく、円筒状体３０への海水の流入出を行い、かつ、発光体６を連結することができれば、別形状のものであってもよく、例えば、環状部材内に格子状に成形された枠を設けたものであってもよい。
【００６３】
以上に説明した浮魚礁２１によれば以下の効果が期待できる。
（１）魚礁本体２２は藻場ユニット２３により構成され、藻場ユニット２３は発光体６を備えたので、魚礁本体２２を、藻場が育つ光量が得られにくい水深（例えば１０ｍより深い水深）に設置しても、その魚礁本体２２に藻場３６を生育させることができる光を供給することができる。
（２）魚礁本体２２は藻場ユニット２３により構成され、各藻場ユニット２３が主に円筒状体３０により構成されるので、海流（潮流等）によって、藻場ユニット２３がひっくり返ったりすることを抑えることができる。また、円筒状体３０の側面部３３は、円筒状体３０への海水の流入出を行う流路３９を備えるので、海流（潮流等）によって藻場ユニット２３がひっくり返ったりすることを更に抑えることができる。
（３）海中の深い水深（太陽光の届き難い５０ｍ以上の水深）でも、魚礁本体２２に光合成可能な光を供給することで魚礁本体２２に藻場を育成することができ、その結果、深い水深に生息する回遊魚（高級魚）を蝟集することが可能となる。例えば、回遊魚が多く生息する大陸棚に浮魚礁２１を設置すればより多くの蝟集効果が期待できる。また、深い水深での海域の浄化にも役立つ。
（４）浮魚礁２１は、洋上発電装置２、送電ケーブル３、発光体６等で主に構成されているので、光ケーブルや長大な筒体の立設を必要とすることなく、従来例と比較して、低コストにて水深の深い所に光合成をすることが可能な光を供給することができる。
（５）魚礁本体２２は、複数の藻場ユニット２３を水平方向に並べたものとなっていることから、海上の釣り船から一本釣りできる場所を効率的に広く確保することができる。
（６）天面部３１に発光体６を連結した状態で発光体６を円筒状体３０内部に配するので、藻場ユニット２３における、発光体６によって照射したい位置（藻場３６に植生する藻類３５の正確な植生位置）を所望の位置に固定することができる。
（７）天面部３１に、円筒状体３０への海水の流入出を行い、かつ、発光体６を連結するための流水枠３４を形成したので、藻場ユニット２３における発光体６の配置を所望の位置にすることができ、発光体６の位置を固定することによって照射させたい位置（藻場）への照射量（光量）の安定を図ることができる。さらに、流水枠３４によって天面部３１からの円筒状体３０への海水の流入出を容易に行えるので、天面部３１への海流（潮流等）による力によって藻場ユニット２３がひっくり返ったりすることを抑えることができる。
（８）円筒状体３０には全流路３７が備えられたので、円筒状体３０へのどの方向に対する海水の流入出も容易に行うことができ、さらに円筒状体３０への海流（潮流等）による力によって藻場ユニット２３がひっくり返ったりすることを抑えることができる。
（９）水深調整部２４を備えたので、台風時等の高波被害や、赤潮等が生じても浮魚礁２１の施設の保全を行うことができ、さらに水深を所望の深さに調整できるので、浮魚礁２１に居る魚介類の保護を行うことができる。また、水深調整部２４を備えたので、水深によって変化する藻類繁茂環境（栄養塩分濃度）の調整や保持を行うことができる。
【００６４】
なお、既述の実施形態における洋上発電装置を潮流発電装置としてもよい。潮流発電装置であれば、風、日光等によって発電する発電装置と比べて安定した電力供給が可能となる。
【産業上の利用可能性】
【００６５】
本発明は、海中に浮遊させる浮魚礁に適用できる。
【符号の説明】
【００６６】
１    中層浮魚礁
２    洋上発電装置
３    送電ケーブル
４    魚礁本体
６    発光体
１２  ユニット
１３  枠体
１６  木材
２１  浮魚礁
２２  魚礁本体
２３  藻場ユニット
２４  水深調整部
２５  洋上フロート部
２６  浮沈フロート部
２７  上部フレーム
２８  下部フレーム
２９  連結索
３０  円筒状体
３１  天面部
３２  底面部
３３  側面部
３４  流水枠
３５  藻類
３６  藻場
３７  全流路
３８  流水路
３９  流路
【図１】
2015165796.tif 000003
【図２】
2015165796.tif 000004
【図３】
2015165796.tif 000005
【図４】
2015165796.tif 000006
【図５】
2015165796.tif 000007
【図６】
2015165796.tif 000008
【図７】
2015165796.tif 000009
【図８】
2015165796.tif 000010